(57)【要約】【課題】グロメットの屈曲性を向上させること。【解決手段】グロメット１００は、電線９を挿通可能な筒状に形成され、大径部２と小径部３とがグロメット１００の延在方向において交互に連なり曲げ変形可能な蛇腹部１を含み、大径部２のうち凸状で曲がった部分である凸状曲部４１のグロメット１００の延在方向における幅が、グロメット１００の周方向における第一位置２１で、第一位置２１に対し反対側の第二位置２２よりも大きくなるように形成されている。【選択図】図２
2017118621.tif 000002
【特許請求の範囲】
【請求項１】
電線を挿通可能な筒状に形成され、
大径部と小径部とが延在方向において交互に連なり曲げ変形可能な蛇腹部を含み、
前記大径部のうち凸状で曲がった部分である凸状曲部の前記延在方向における幅が、周方向における第一位置で、前記第一位置に対し反対側の第二位置よりも大きくなるように形成されている、グロメット。
【請求項２】
請求項１に記載のグロメットであって、
前記周方向に沿って前記第一位置から前記第二位置に向かうにつれ、前記凸状曲部の前記延在方向における幅が徐々に小さくなるように形成されている、グロメット。
【請求項３】
請求項１又は請求項２に記載のグロメットであって、
前記第一位置及び前記第二位置を通り、かつ、前記延在方向に沿う断面で見て、前記第一位置での前記凸状曲部の曲率が、前記第二位置での前記凸状曲部の曲率よりも小さい、グロメット。
【請求項４】
請求項１から請求項３のいずれか１項に記載のグロメットであって、
前記第一位置及び前記第二位置を通り、かつ、前記延在方向に沿う断面で見て、前記第二位置で、前記小径部を成す凹状の谷部が、Ｖ字状に形成されている、グロメット。
【請求項５】
請求項１から請求項４のいずれか１項に記載のグロメットと、
前記グロメットに挿通された電線と、を備える、グロメット付電線。
【発明の詳細な説明】
【技術分野】
【０００１】
本発明は、電線を保護するグロメット及びグロメット付電線に関する。
【背景技術】
【０００２】
例えば、特許文献１に示されるように、ワイヤーハーネスが、大径部と小径部とが延在方向に沿って交互に形成された蛇腹部を備えるグロメットに挿通されることがある。
【先行技術文献】
【特許文献】
【０００３】
【特許文献１】特開２０１４−２０４５３０号公報
【発明の概要】
【発明が解決しようとする課題】
【０００４】
しかしながら、特許文献１に示される例では、グロメットを曲げようとする際に、グロメットの延在方向において隣り合う大径部同士が接触することで、グロメットが曲がりにくくなることがある。
【０００５】
本発明は、グロメットの屈曲性を向上させることを目的とする。
【課題を解決するための手段】
【０００６】
第１態様に係るグロメットは、電線を挿通可能な筒状に形成され、大径部と小径部とが延在方向において交互に連なり曲げ変形可能な蛇腹部を含み、前記大径部のうち凸状で曲がった部分である凸状曲部の前記延在方向における幅が、周方向における第一位置で、前記第一位置に対し反対側の第二位置よりも大きくなるように形成されている。
【０００７】
第２態様に係るグロメットは、第１態様に係るグロメットの一態様であって、前記周方向に沿って前記第一位置から前記第二位置に向かうにつれ、前記凸状曲部の前記延在方向における幅が徐々に小さくなるように形成されている。
【０００８】
第３態様に係るグロメットは、第１態様又は第２態様に係るグロメットの一態様であって、前記第一位置及び前記第二位置を通り、かつ、前記延在方向に沿う断面で見て、前記第一位置での前記凸状曲部の曲率が、前記第二位置での前記凸状曲部の曲率よりも小さい。
【０００９】
第４態様に係るグロメットは、第１態様から第３態様のいずれか１つに係るグロメットの一態様であって、前記第一位置及び前記第二位置を通り、かつ、前記延在方向に沿う断面で見て、前記第二位置で、前記小径部を成す凹状の谷部が、Ｖ字状に形成されている。
【００１０】
第５態様に係るグロメット付電線は、第１態様から第４態様のいずれか１つに係るグロメットと、前記グロメットに挿通された電線と、を備える。
【発明の効果】
【００１１】
上記の各態様では、大径部のうち周方向における第一位置での凸状で湾曲した部分である凸状曲部の延在方向における幅が、第一位置に対し反対側の第二位置での凸状曲部の延在方向における幅よりも大きくなるように形成されている。この場合、第二位置側を曲げ方向の内側として、グロメットが曲げられた際に、延在方向において隣り合う凸状曲部同士が接触することを抑制でき、グロメットの屈曲性が向上する。
【００１２】
第２態様では、周方向に沿って第一位置から第二位置に向かうにつれ、凸状曲部の延在方向における幅が徐々に小さくなるように形成されている。この場合、第二位置側を曲げ方向の内側として、グロメットをより曲げ易くなる。即ち、特定の方向（第二位置側を内側）に曲げ易いグロメットを得ることができる。
【００１３】
第３態様では、第一位置及び第二位置を通り、かつ、延在方向に沿う断面で見て、第一位置での凸状曲部の曲率が、第二位置での凸状曲部の曲率よりも小さい。この場合、グロメットが曲げられた際に、第二位置側でのグロメットの延在方向において隣り合う大径部の凸状曲部同士がより接触し難くなる。
【００１４】
第４態様では、第一位置及び第二位置を通り、かつ、延在方向に沿う断面で見て、第二位置で、小径部を成す凹状の谷部が、Ｖ字状に形成されている。この場合、第二位置側を曲げ方向の内側としてグロメットが曲げられる際に、第二位置側での凹状の谷部が畳まれるように変形する。このため、第二位置側でのグロメットの延在方向において隣り合う凸状曲部同士がより接近するように変形可能となる。これにより、第二位置側を曲げ方向の内側として、グロメットをより曲げ易くなる。
【００１５】
第５態様でも、第二位置側を曲げ方向の内側として、グロメットが曲げられた際に、延在方向において隣り合う凸状曲部同士が接触することを抑制でき、グロメットの屈曲性が向上する。
【図面の簡単な説明】
【００１６】
【図１】実施形態に係るグロメットの斜視図である。
【図２】実施形態に係るグロメットの側面図である。
【図３】実施形態に係るグロメットの断面図である。
【図４】実施形態に係るグロメットの断面図である。
【図５】実施形態に係るグロメットの一部拡大断面図である。
【図６】実施形態に係るグロメットの一部拡大断面図である。
【発明を実施するための形態】
【００１７】
以下、添付の図面を参照しつつ、実施形態について説明する。以下の実施形態は、本発明を具現化した一例であり、本発明の技術的範囲を限定する事例ではない。
【００１８】
＜実施形態＞
図１〜６を参照しつつ、実施形態に係るグロメット１００及びグロメット付電線１０１について説明する。図１は、グロメット１００の斜視図である。図２は、グロメット１００の側面図である。なお、図２では、このグロメット１００に挿通される電線９が仮想線（二点鎖線）で描かれている。図３，４は、それぞれグロメット１００の断面図である。図３は、グロメット１００の延在方向に沿う切断線で切断された断面である。図４は、グロメット１００の延在方向に直交する切断線で切断された断面である。図５，６は、図４の一部を拡大した図である。即ち、図５，６は、グロメット１００の一部拡大断面図である。
【００１９】
図１に示されるように、グロメット１００は、電線９を挿通可能な筒状に形成されている。そして、グロメット１００は、大径部２と小径部３とが延在方向において交互に連なり曲げ変形可能な蛇腹部１を含む。
【００２０】
また、本実施形態では、グロメット１００は、蛇腹部１の両側にそれぞれ設けられた取付部５をさらに備えている。取付部５は、このグロメット１００を相手側部材に取り付けるための部分である。ここでは、取付部５には、相手側部材の貫通孔の内周縁部に取り付け可能な凹部が周方向に沿って形成されている。この場合、グロメット１００は、板状の相手側部材に形成された貫通孔に、取付部５が嵌め込まれることで、相手側部材に取り付けられる。なお、板状の相手側部材としては、例えば、車体を構成する金属パネル等が考えられる。グロメット１００は、貫通孔に挿通される電線を、貫通孔の内縁部から保護すること及び防水等を目的として相手側部材に取り付けられる。
【００２１】
また、グロメット１００は、例えば、蛇腹部１で曲げること及び伸縮させることが可能なゴムの部材であることが考えられる。
【００２２】
グロメット１００の蛇腹部１について説明する。上述のように、蛇腹部１は、大径部２と小径部３とを備える。なお、大径部２は、蛇腹部１のうち比較的径の大きな部分であり、小径部３は、蛇腹部１のうち比較的径の小さな部分である。
【００２３】
蛇腹部１について、より具体的に説明する。ここでは、蛇腹部１は、凸状曲部４１と、凹状の谷部（以下、凹状谷部４２）と、凸状曲部４１と凹状谷部４２とを繋ぐ中間部４３と、を備える。
【００２４】
図３，５，６に示されるように、凸状曲部４１は、最も径の大きい部分、即ち、グロメット１００のうち最も外周側に突出して位置する部分を含み、かつ、曲がっている部分である。即ち、凸状曲部４１は、外周側に凸となるように曲がった部分のみを含む。例えば、凸状曲部４１は、外周側に凸となるように湾曲している部分若しくは外周側に尖って曲がる部分（逆Ｖ字状の部分）であることが考えられる。また、凸状曲部４１は、大径部２の一部又は全部を成す。
【００２５】
そして、本実施形態では、グロメット１００の周方向における複数の位置での、凸状曲部４１のグロメット１００の延在方向における幅が異なっている。ここで、グロメット１００の周方向における所定の２つの位置を第一位置２１と第二位置２２とする。図４に示されるように、第二位置２２は、第一位置２１の反対側の位置である。
【００２６】
グロメット１００においては、大径部２のうち凸状曲部４１の延在方向における幅が、グロメット１００の周方向における第一位置２１で、第一位置２１に対し反対側の第二位置２２よりも大きくなるように形成されている。即ち、大径部２のうち周方向における第一位置２１での凸状曲部４１の延在方向における幅が、第一位置２１に対し反対側の第二位置２２での凸状曲部４１の延在方向における幅よりも大きくなるように形成されている。この場合、グロメット１００が第二位置２２側を曲げの内側として曲げられる際に、グロメット１００の延在方向において隣り合う凸状曲部４１同士が接触し難くなる。このため、グロメット１００をより曲げることが可能となる。
【００２７】
なお、ここでは、第一位置２１で凸状曲部４１の幅が最も大きくなり、第二位置２２で凸状曲部４１の幅が最も小さくなるように構成されている。
【００２８】
また、ここでは、図２，３に示されるように、グロメット１００の周方向に沿って第一位置２１から第二位置２２に向かうにつれ、凸状曲部４１のグロメット１００の延在方向における幅が徐々に小さくなるように形成されている。この場合、以下の利点を有する。即ち、別の例として、グロメット１００の周方向において凸状曲部４１の幅が比較的大きい部分の領域が少なく、凸状曲部４１の幅が比較的小さい部分の領域が多い場合、このグロメットは、色々な方向に曲げ易くなることが考えられる。一方、本実施形態では、グロメット１００の周方向に沿って第一位置２１から第二位置２２に向かうにつれ、凸状曲部４１のグロメット１００の延在方向における幅が徐々に小さくなるように形成されているため、このグロメット１００は、第二位置２２側を曲げ方向の内側として特に曲げ易くなる。即ち、このグロメット１００は、特定の方向に曲げ易い。
【００２９】
また、ここでは、第一位置２１及び第二位置２２を通り、かつ、グロメット１００の延在方向に沿う断面で見て、第一位置２１での凸状曲部４１の曲率が、第二位置２２での凸状曲部４１の曲率よりも小さい。即ち、第一位置２１では、凸状曲部４１は、比較的緩やかに湾曲しつつ外周側に突出している。一方、第二位置２２では、凸状曲部４１は、比較的急に湾曲しつつ外周側に突出している。この場合、グロメット１００が曲げられた際に、第二位置２２側で、グロメット１００の延在方向において隣り合う凸状曲部４１同士がより接触し難くなる。第二位置２２側で、グロメット１００の延在方向において隣り合う凸状曲部４１同士の間隔を大きくすることができるためである。
【００３０】
次に、凹状谷部４２について説明する。図３，５，６に示されるように、凹状谷部４２は、最も径の小さい部分、即ち、グロメット１００のうち最も内周側に凹んで位置する部分を含む。凹状谷部４２は、小径部３の一部又は全部を成す。
【００３１】
また、ここでは、図６に示されるように、第一位置２１及び第二位置２２を通り、かつ、延在方向に沿う断面で見て、第二位置２２で、小径部３を成す凹状谷部４２が、Ｖ字状に形成されている。即ち、第二位置２２での凹状谷部４２は、第一位置２１での凹状谷部４２に比べ、急に湾曲しつつ凹んで形成されている。なお、上記断面で見て、第一位置２１では、凹状谷部４２は、比較的緩やかに湾曲しつつ凹んで形成されている。この場合、第二位置２２側を曲げ方向の内側としてグロメット１００が曲げられる際に、第二位置２２側での凹状谷部４２が畳まれるようにして、隣り合う凸状曲部４１同士が近付く方向に変形する。このため、第二位置２２側を曲げ方向の内側として、グロメット１００をより曲げ易くなる。なお、第二位置２２で、凹状谷部４２が、２つの直線状部分が角度を成して連なって凹んで形成されていることが好ましい。
【００３２】
以上より、凸状曲部４１は、第一位置２１及び第二位置２２を通り、かつ、グロメット１００の延在方向に沿う断面で見て、外周側に湾曲しつつ凸となる部分である。一方、凹状谷部４２は、第一位置２１及び第二位置２２を通り、かつ、グロメット１００の延在方向に沿う断面で見て、内周側に凸（外周側で凹）となる部分である。そして、凸状曲部４１と凹状谷部４２とは、中間部４３を介して繋がっている。
【００３３】
即ち、中間部４３は、グロメット１００の延在方向において、凸状曲部４１と凹状谷部４２との間に設けられ、両者を繋ぐ部分である。このため、中間部４３は、蛇腹部１のうち最も径の大きい部分と最も径の小さい部分とを含まない。中間部４３は、大径部２の一部、小径部３の一部、又は大径部２及び小径部３の一部を成す。
【００３４】
そして、ここでは、グロメット１００の周方向における複数の位置での、グロメット１００の延在方向における中間部４３の幅が異なっている。即ち、図２，３，５，６に示されるように、第一位置２１での中間部４３の幅が、第二位置２２での中間部４３の幅よりも小さくなるように形成されている。
【００３５】
また、ここでは、グロメット１００の周方向に沿って第一位置２１から第二位置２２に向かうにつれ、中間部４３の延在方向における幅が徐々に大きくなるように形成されている。なお、ここでは、中間部４３は、グロメット１００の周方向において、それぞれの位置での幅が異なるが、全周に亘って形成されている。しかしながら、グロメット１００の周方向における一部のみに中間部４３が形成されていない場合も考えられる。例えば、グロメット１００の周方向において第一位置２１を除く領域に中間部４３が形成されている場合も考えられる。即ち、第一位置２１で、中間部４３が形成されておらず、凸状曲部４１と凹状谷部４２とが直接繋がっている場合も考えられる。
【００３６】
次に、グロメット付電線１０１について説明する。図２に示されるように、グロメット付電線１０１は、グロメット１００とグロメット１００に挿通された電線９とを備える。電線９は、例えば、芯線と芯線の周囲を覆う絶縁被覆とを備える絶縁電線であることが考えられる。また、グロメット１００には、１本若しくは複数本の電線９が挿通される。
【００３７】
＜効果＞
以上のように、本実施形態では、大径部２のうち凸状で曲がった部分である凸状曲部４１の延在方向における幅が、グロメット１００の周方向における第一位置２１で、第一位置２１に対し反対側の第二位置２２よりも大きくなるように形成されている。この場合、第二位置２２側を曲げ方向の内側として、グロメット１００が曲げられた際に、延在方向において隣り合う凸状曲部４１同士が接触することを抑制でき、グロメット１００の屈曲性が向上する。
【００３８】
また、本実施形態では、周方向に沿って第一位置２１から第二位置２２に向かうにつれ、凸状曲部４１の延在方向における幅が徐々に小さくなるように形成されている。この場合、第二位置２２側を曲げ方向の内側として、グロメット１００をより曲げ易くなる。即ち、特定の方向（第二位置２２側を内側）に曲げ易いグロメット１００を得ることができる。
【００３９】
また、本実施形態では、第一位置２１及び第二位置２２を通り、かつ、延在方向に沿う断面で見て、第一位置２１での凸状曲部４１の曲率が、第二位置２２での凸状曲部４１の曲率よりも小さい。この場合、グロメット１００が曲げられた際に、第二位置２２側でのグロメット１００の延在方向において隣り合う大径部２の凸状曲部４１同士がより接触し難くなる。
【００４０】
また、本実施形態では、第一位置２１及び第二位置２２を通り、かつ、延在方向に沿う断面で見て、第二位置２２で、小径部３を成す凹状谷部４２が、Ｖ字状に形成されている。この場合、第二位置２２側を曲げ方向の内側としてグロメット１００が曲げられる際に、第二位置２２側での凹状谷部４２が畳まれるように変形する。このため、第二位置２２側でのグロメット１００の延在方向において隣り合う凸状曲部４１同士がより接近するように変形可能となる。これにより、第二位置２２側を曲げ方向の内側として、グロメット１００をより曲げ易くなる。
【００４１】
＜応用例＞
凸状曲部のグロメットの延在方向における幅が一定の部分が、第一位置から第二位置までの一部の区間に形成されている場合も考えられる。
【００４２】
また、凸状曲部のグロメットの延在方向における幅が、第一位置で最も大きく、かつ、第二位置以外の位置で最も小さい場合も考えられる。
【００４３】
なお、本発明に係るグロメット及びグロメット付電線は、各請求項に記載された発明の範囲において、以上に示された実施形態及び応用例を自由に組み合わせること、或いは、実施形態及び応用例を適宜、変形する又は一部を省略することによって構成されることも可能である。
【符号の説明】
【００４４】
１  蛇腹部
１００  グロメット
１０１  グロメット付電線
２  大径部
２１  第一位置
２２  第二位置
３  小径部
４１  凸状曲部
４２  凹状谷部
９  電線
【図１】
2017118621.tif 000003
【図２】
2017118621.tif 000004
【図３】
2017118621.tif 000005
【図４】
2017118621.tif 000006
【図５】
2017118621.tif 000007
【図６】
2017118621.tif 000008